(57)【要約】【課題】振動・衝撃に対して強く、電池の性能低下、劣化を防止でき、容易に電池交換可能な電池収納装置を実現すること。【解決手段】  プラス端子とマイナス端子を有し電池を収納するケースと、このケース内部に設けられ、前記プラス端子に一端が接続され他端が電池のプラス極に接するプラス極バネと、前記ケース内部に設けられ、前記マイナス端子に一端が接続され他端が前記電池のマイナス極に接するマイナス極バネを備えた電池収納装置において、前記電池の底面を挟持し、前記電池の側壁を支持する電池支持具を備え、前記電池は、前記電池支持具から前記電池の長手方向に着脱可能であることを特徴とする。【選択図】図１
2011249114.tif 000002
【特許請求の範囲】
【請求項１】
プラス端子とマイナス端子を有し電池を収納するケースと、このケース内部に設けられ、前記プラス端子に一端が接続され他端が電池のプラス極に接するプラス極バネと、前記ケース内部に設けられ、前記マイナス端子に一端が接続され他端が前記電池のマイナス極に接するマイナス極バネを備えた電池収納装置において、
前記電池の底面を支持し、前記電池の側壁を支持する電池支持具を備え、
前記電池は、前記電池支持具から前記電池の長手方向に着脱可能であることを特徴とする電池収納装置。
【請求項２】
前記電池支持具は、
前記電池が挿入されると前記電池の底面の縁に配置されて前記電池の底面を支持する複数の固定部材と、前記バネと前記電池が接続するための孔を具備した電池固定部と、
前記電池の長手方向に伸延する板状に形成され、前記電池固定部の一端と連結し、前記電池の側壁と接して前記電池を支持する側壁支持部を備えたことを特徴とする請求項１記載の電池収納装置。
【請求項３】
前記電池支持具が、
互いに一端で連結される前記電池固定部を２個備え、
前記側壁支持部が、
前記電池固定部の連結部分と連結して、前記電池同士が接触し得る箇所の全部又は一部に前記電池の長手方向に伸延する板状に形成され、
２個の電池を並列に収容することを特徴とする請求項２記載の電池収納装置。
【請求項４】
前記電池支持具が、
前記電池固定部を複数個備え、これらの電池固定部は少なくとも他の電池固定部の一端で連結され、
複数の前記側壁支持部が、
前記電池固定部の連結部分で前記電池固定部の少なくともいずれかと連結して、前記電池の長手方向に伸延する板状に形成され、
前記電池を複数個収容することを特徴とする請求項１〜３のいずれかに記載の電池収納装置。
【請求項５】
前記電池固定部は、ゴム素材により形成され、
前記側壁支持部は、ゴム素材により形成される平板の両面の一部または全部に剛性のある側壁支持部材を取り付けて形成されることを特徴とする請求項１〜４のいずれかに記載の電池収納装置。
【請求項６】
前記電池支持具が配設される第１のケース部材と、
前記プラス端子、前記マイナス端子および前記プラス極バネおよび前記マイナス極バネの少なくともいずれかを具備する第２のケース部材を備え、
前記マイナス極バネまたはプラス極バネの少なくともいずれかを具備する前記電池支持具が前記第１のケース部材に挿入された後、前記電池が前記第１のケース部材に挿入されて、前記第１のケース部材と前記第２のケース部材とが固定されることを特徴とする請求項１〜５のいずれかに記載の電池収納装置。
【発明の詳細な説明】
【技術分野】
【０００１】
本発明は、プラス端子とマイナス端子を有し電池を収納するケースと、このケース内部に設けられ、プラス端子に一端が接続され他端が電池のプラス極に接するプラス極バネと、ケース内部に設けられ、マイナス端子に一端が接続され他端が電池のマイナス極に接するマイナス極バネを備えた電池収納装置に関し、特に振動・衝撃に対して強く、電池の性能低下、劣化を防止でき、容易に電池交換可能な電池収納装置に関する。
【０００２】
具体的には、フィールド機器製品である無線通信形差圧伝送器および温度伝送器等において無線通信を行うための電池を搭載、収納する電池収納装置（電池パック）であって、電池収納装置内の電池をシリコーンゴムとＰＣ（ポリカーボネート）樹脂シートを用いて固定する電池収納装置に関する。
その固定方法により、振動・衝撃に対して強く、電池の性能劣化を防止するとともに、電池収納装置内の電池交換を容易にした構造に関するものである。
【背景技術】
【０００３】
従来、無線通信形差圧伝送器及び温度伝送器において無線通信を行うための電池用の電池パック（電池収納装置）では、電池のプラス極とマイナス極をばね性のない固定端子またはコイルスプリング、板バネにより押さえつけることにより、電池を固定していた。
【０００４】
図３は、従来の電池収納装置の一例の構成図である。
図３において、電池収納装置１は、ケース本体２とカバー３とを有する。
電池収納装置１には、電池４、５が収納されている。たとえば電池４、５は、単１電池である。
【０００５】
電池４と電池５は、電池４のプラス極がプラス極コイルスプリング２１ａと電池５のマイナス極がマイナス極コイルスプリング２２ａと接続されて直列に接続される。
この電池４と電池５は、電池５のプラス極と接続されるプラス極コイルスプリング２２ｂと、電池４のマイナス極と接続されるマイナス極コイルスプリング２１ｂとを有する回路基板６を介して、コネクタ部１２、１３より電力供給を行う。
【０００６】
プラス極コイルスプリング２１ａ、２２ｂは、たとえば、円錐コイルばねが使用され、ばね頂部が電池のプラス極の凸部４Ａ、５Ａと接触する。
【０００７】
マイナス極コイルスプリング２２ａ、２１ｂは、たとえば、円筒コイルばねが使用され、電池のプラス極の凸部に誤接触しないように、凸部より大きな内径を有し、電池のマイナス極と接触する。
【０００８】
ケース本体２は、ねじ１ａとねじ１ｂとによりカバー３と固定されて、電池収納装置には電池４、５が収納される。
【０００９】
この結果、従来の電池収納装置は、電池のプラス極マイナス極をコイルスプリング等により押さえつけることにより、電池を固定していた。
【００１０】
このような、従来の電池収納装置を記載した文献としては特許文献１などがある。
【先行技術文献】
【特許文献】
【００１１】
【特許文献１】特開２００９−２７７５１３号公報
【発明の概要】
【発明が解決しようとする課題】
【００１２】
しかしながら、従来の電池収納装置は、ケース２とカバー３の結合（ネジ止め）を外せば電池交換を容易にすることができるが、プラス極コイルスプリング、マイナス極コイルスプリングなどのバネの押し付け力と、ケース２及びカバー３の内面部の固定だけでは振動・衝撃に対して弱いので、電池の性能劣化が生じるという問題点があった。
【００１３】
ここで、性能劣化とは、主に振動や衝撃により生じるものであって、電池内部の発電素子の破壊や、電極から外部端子への集電機構の破壊等により生じる。
具体的には、電池は、電池内部で充電・放電をすることにより極板の活物質が収縮・膨張を繰り返すが、外部の振動、衝撃によって、膨張時に出来た隙間が亀裂となり電気を蓄える活物質がこぼれ落ちると、出力電圧が低下する等の性能低下が生じる。
【００１４】
すなわち従来の電池収納装置は、図３の構成では振動・衝撃に対して弱いので、出力電圧が低下する等の電池の性能劣化が生じてしまうという問題点があった。
【００１５】
一方、昨今では、振動・衝撃に対して強い構成にするために、たとえば特開平１１−４５６９１公報、特開２０１０−４０２４３号公報の記載のように、電池と電池ケースとが接触し得る箇所の全部又は一部にシリコーン系弾性体を配置し、電池と電池ケースとの間の緩衝機能を保持させる構成や、電池保持部に嵌合保持した単電池の端面に弾力的に当接して振動衝撃を吸収する振動衝撃吸収部を設ける構成などが検討されている。
【００１６】
しかしながら、特開平１１−４５６９１号公報の構成では、シリコーン系弾性体(緩衝材)を配置するのに、電池周面にＯリングを嵌め込み、シーラントで電池を電池ケースに接着固定するので、電池交換するには大変手間がかかるという問題点があった。
また、特開２０１０−４０２４３号公報の構成では、組立の構造が複雑であるので、電池交換を容易にすることができないという問題点があった。
【００１７】
本発明は上述の問題点を解決するものであり、その目的は、振動・衝撃に対して強く、電池の性能低下、劣化を防止でき、容易に電池交換可能な電池収納装置を実現することにある。
【課題を解決するための手段】
【００１８】
このような目的を達成するために、本発明のうち請求項１記載の発明は、
プラス端子とマイナス端子を有し電池を収納するケースと、このケース内部に設けられ、前記プラス端子に一端が接続され他端が電池のプラス極に接するプラス極バネと、前記ケース内部に設けられ、前記マイナス端子に一端が接続され他端が前記電池のマイナス極に接するマイナス極バネを備えた電池収納装置において、
前記電池の底面を支持し、前記電池の側壁を支持する電池支持具を備え、
前記電池は、前記電池支持具から前記電池の長手方向に着脱可能であることを特徴とする電池収納装置である。
【００１９】
請求項２記載の発明は、請求項１記載の電池収納装置において、
前記電池支持具は、
前記電池が挿入されると前記電池の底面の縁に配置されて前記電池の底面を支持する複数の固定部材と、前記バネと前記電池とが接続するための孔を具備した電池固定部と、
前記電池固定部の一端と連結し、前記電池の長手方向に伸延する板状に形成され、前記電池の側壁と接して前記電池を支持する側壁支持部を備えることを特徴とする。
【００２０】
請求項３記載の発明は、請求項２記載の電池収納装置において、
前記電池支持具が、
互いに一端で連結される前記電池固定部を２個備え、
前記側壁支持部が、
前記電池固定部の連結部分と連結して、前記電池同士が接触し得る箇所の全部又は一部に前記電池の長手方向に伸延する板状に形成され、
２個の電池を並列に収容することを特徴とする。
【００２１】
請求項４記載の発明は、請求項１〜３のいずれかに記載の電池収納装置において、
前記電池支持具が、前記電池固定部を複数個備え、これらの電池固定部は少なくとも他の電池固定部の一端で連結され、
複数の前記側壁支持部が、前記電池固定部の連結部分で前記電池固定部の少なくともいずれかと連結して、前記電池の長手方向に伸延する板状に形成され、前記電池を複数個収容することを特徴とする。
【００２２】
請求項５記載の発明は、請求項１〜４のいずれかに記載の電池収納装置において、
前記電池固定部は、ゴム素材により形成され、
前記側壁支持部は、ゴム素材により形成される平板の両面の一部または全部に剛性のある側壁支持部材を取り付けて形成されることを特徴とする。
【００２３】
請求項６記載の発明は、請求項１〜５のいずれかに記載の電池収納装置において、
前記電池支持具が配設される第１のケース部材と、
前記プラス端子、前記マイナス端子および前記プラス極バネおよび前記マイナス極バネの少なくともいずれかを具備する前記第２のケース部材を備え、
前記マイナス極バネまたはプラス極バネの少なくともいずれかを具備する前記電池支持具が前記第１のケース部材に挿入された後、前記電池が前記第１のケース部材に挿入されて、前記第１のケース部材と前記第２のケース部材とが固定されることを特徴とする。
【発明の効果】
【００２４】
本発明の電池収納装置によれば、電池の底面を支持し、電池の側壁を支持する電池支持具を備え、電池は、電池支持具から電池の長手方向に着脱可能であることにより、振動、衝撃に対して強くなり、電池の性能劣化を防止できる点で有効である。
【００２５】
また、本発明の電池収納装置によれば、電池支持具を構成する各電池固定部の連結部分から各電池間に伸延して形成されるゴム平板部の両面に、剛性のある部材を取り付けて構成される側壁支持部を有することにより、電池の挿入時のゴム変形を防止して電池を容易に挿入できる点で有効である。
【００２６】
また本発明によれば、電池支持具が配設される第１のケース部材と、プラス端子、マイナス端子およびプラス極バネまたはマイナス極バネの少なくともいずれかを具備する第２のケース部材を備え、マイナス極バネまたはプラス極バネの少なくともいずれかを具備する電池支持具が第１のケース部材に挿入された後、電池が第１のケース部材に挿入されて、第１のケース部材と前記第２のケース部材とが固定されることにより、第１のケース部材と第２のケース部材とをネジ止めして固定し、またはネジを外して、各電池を電池の長手方向に着脱可能となるので、従来技術のように電池周面にＯリング（オーリング）をはめ込んだり、シーラントで電池を電池ケースに接着固定したりすることなく、容易に電池交換を行うことができる点で有効である。
【００２７】
また本発明によれば、電池と端子間の瞬断時に電気容量を確保するコンデンサを有することが防爆規格上許されない場合は、電池両極側の端子をコイルスプリングまたは板ばねにすることによって、静止状態だけでなく振動状態でも振動加速度で発生する電池の動きにコイルスプリングまたは板ばねが追従し、常に接触を保つことができる点でも有効である。したがって電池と端子間の瞬断及び接触不良を起こさず、振動状態での接触エラーを防止することができる電池収納装置が得られる。
【００２８】
また本発明によれば、電池のプラス極は凸部箇所以外が電気絶縁されており、マイナス極の円筒コイルスプリングのばね頂部内径（またはマイナス極板ばねに形成される凸部回避穴）が、電池プラス極の凸部より大きいことにより、電池を誤挿入（逆挿）した状態で無線通信機器等に使用した場合でも、電池に過電流が発生することはなく、電池の異常発熱や液洩れが生じる故障が起きない電池収納装置が得られる点でも有効である。
【００２９】
また本発明によれば、電池支持具が、互いに一端で連結される前記電池固定部を２個備え、側壁支持部が、電池固定部の連結部分と連結して、電池同士が接触し得る箇所の全部又は一部に電池の長手方向に伸延する板状に形成され、２個の電池を並列に収容することにより、振動、衝撃に対して強くなって電池の性能劣化を防止できると共に電池の挿入時のゴム変形を防止して電池を容易に挿入でき、２個の電池を並列に配列して収容できる。
【００３０】
また本発明によれば、電池支持具が、電池固定部を複数個備え、これらの電池固定部は少なくとも他の電池固定部の一端で連結され、複数の側壁支持部が、電池固定部の連結部分で電池固定部の少なくともいずれかと連結して、電池同士が接触し得る箇所の全部又は一部に電池の長手方向に伸延する板状に形成され、電池を複数個収容することにより、振動、衝撃に対して強くなって電池の性能劣化を防止できるとともに電池の挿入時のゴム変形を防止して電池を容易に挿入でき、複数の電池を複数の列に配列して収容できる。
【図面の簡単な説明】
【００３１】
【図１】本発明に係る電池収納装置の一実施例の構成図である。
【図２】図１の電池収納装置の組立説明図である。
【図３】従来の電池収納装置の一例の構成図である。
【発明を実施するための形態】
【００３２】
＜第１の実施例＞
図１は本発明に係る電池収納装置の一実施例の構成図、図２は図１の電池収納装置の組立説明図であり、図３と共通する部分には同一の符号を付け、適宜説明を省略する。図１（Ａ）は電池収納装置の構成例、図１（Ｂ）は電池支持具の斜視図である。
図３との相違は、主に、電池の底面を挟持し、電池の側壁を支持する電池支持具を備える点と、電池が電池支持具から電池の長手方向に着脱可能である点で相違する。
【００３３】
（構成の説明）
図１において、本発明に係る電池収納装置１００は、主に、第１のケース部材の一例であるケース本体２と、第２のケース部材の一例であるカバー３と、電池４、５の底面を支持し、電池４、５の側壁を支持する電池支持具５０と、から構成される。
【００３４】
電池４、５は、例えば単一電池などの筒形電池、またはその他の形状からなる電池等であって、電池支持具５０から電池の長手方向に着脱可能に収納されている。
【００３５】
（主な構成要素の説明）
ケース本体２は、電池４、５が収容できる大きさの箱型で上部に電池４、５を収容、取出しするための開口部を有する。
また、ケース本体２は、内壁の底面にプラス極コイルスプリング２１ａ、マイナス極コイルスプリング２２ａ等の電池４、５を固定し電気的に接続するためのバネを具備する。
【００３６】
このケース本体２は、例えば合成樹脂を成形加工して形成される。
なお、プラス極コイルスプリング２１ａの一端は、マイナス極コイルスプリング２２ａの一端とは電気的に接続される。このプラス極コイルスプリング２１ａ、マイナス極コイルスプリング２２ａとは金属等により一体成形されるものでも良い。
また電池挿入時には、プラス極コイルスプリング２１ａの他端は電池４のプラス極と、マイナス極コイルスプリング２２ａの他端は電池５のマイナス極と電気的に接続される。
【００３７】
カバー３は、ケース本体２の蓋部であって、電池４、５が収容できる大きさの箱型で下部に電池４、５を覆うとともにケース本体２と嵌合するための開口部を有する。
カバー３は、内壁の底面にマイナス極コイルスプリング２１ｂ、プラス極コイルスプリング２２ｂなどの電池４、５を固定し電気的に接続するためのバネを具備する。
また、カバー３は、マイナス極コイルスプリング２１ｂ、プラス極コイルスプリング２２ｂと、電池４、５から供給される電力を供給するコネクタ部１２、１３とを備える回路基板６を具備する。
【００３８】
なお、カバー３は、例えば合成樹脂を成形加工して形成される。
また電池挿入時には、マイナス極コイルスプリング２１ｂの他端は電池４のマイナス極と、プラス極コイルスプリング２２ｂの他端は電池５のプラス極と電気的に接続される。
【００３９】
電池支持具５０は、たとえばシリコーンゴム成形品であって、電池４の端部（底面、底面付近）を支持する電池固定部５１と、電池５の底面を支持する電池固定部５２、電池４および電池５の側壁を支持する側壁支持部５３とから構成される。
【００４０】
すなわち、電池支持具５０は、電池固定部５１と電池固定部５２によって電池４、５の底面をそれぞれ挟持して固定し、側壁支持部５３によって電池４、５の側壁を支持する（たとえば電池が互いに接触しないように支持する）。
【００４１】
電池固定部５１は、電池４の底面と同様の形状または電池４の底面よりも一回り大きい形状で形成され、電池が挿入されると電池４の底部の縁（周縁等）に配置されて電池４の底面を支持する複数の固定部材５１ａ、５１ｂ、５１ｃと、バネ（プラス極コイルスプリング２１ａ）と電池４との接続部分よりも大きい形状の孔５１ｈを具備する。
【００４２】
電池固定部５２は、電池５の底面と同様の形状または電池５の底面よりも一回り大きい形状で形成され、電池が挿入されると電池５の底面の縁（周縁等）に配置されて電池５の底面を挟持する複数の固定部材５２ａ、５２ｂ、５２ｃと、バネ（マイナス極コイルスプリング２２ａ）と電池５との接続部分よりも大きい形状の孔５２ｈを具備する。
【００４３】
この電池固定部５１、５２は、電池挿入後のケース２およびカバー３の組み合わせ時に、電池底面から長手方向（電池の軸方向）に押さえつけて支持する。いいかえれば、電池はケース底部に配置された電池固定部とスプリングにより電池の軸方向に挟持される。
なお、電池固定部５２の固定部材５２ａ、５２ｂ、５２ｃは、電池５の底面の位置を固定するためにそれぞれ半径方向に（電池の軸に向かって）押さえつけて挟持するものでもよいし、単に支持するものでもよい。また同様に電池固定部５１の固定部材５１ａ、５１ｂ、５１ｃは、電池４を、電池４の底面の半径方向（電池の軸方向）に押さえつけて挟持するものでもよいし単に支持するものでもよい。
【００４４】
これら電池固定部５１、５２は、シリコーンゴム成形品に限定されるものではなく、他のゴム素材により形成されるものであってもよい。
なお固定部材は、電池４、５の底部を挟持するものであれば、電池固定部５１、５２の縁にいくつ形成されるものであっても良い。
【００４５】
また、電池固定部５１と電池固定部５２とは、互いに一端で連結される。
電池固定部５１と電池固定部５２との連結部分には、ゴム素材で形成され、電池４、５の長手方向に伸延して平板状に形成されるゴム平板部ＧＢが形成される。
いいかえれば、このゴム平板部ＧＢは、電池固定部５１、５２の面に垂直方向に伸延するような平板状に形成され、電池挿入時の電池４と電池５との間に形成される。
【００４６】
側壁支持部５３は、ポリカーボネートシート（ＰＣシート）部品であって、電池固定部５１、５２の一端と連結し、電池４、５の長手方向に伸延する板状に形成され、電池４、５の側壁と接して電池４、５を支持する。
具体的には、側壁支持部５３は、電池固定部５１、５２の電池４、５間に形成されるゴム平板部ＧＢの両面に、剛性のあるＰＣシート部品である側壁支持部材５３ａ、５３ｂを取り付けて構成される。
【００４７】
たとえば、側壁支持部５３の側壁支持部材５３ａ、５３ｂは、電池４、５の側壁（たとえば外周面の一部）と接して電池４、５を支持する。
この側壁支持部５３は、ＰＣシート部品に限定されるものではなく、他の樹脂または金属により形成されるものであってもよい。
【００４８】
（電池支持具５０の作用、効果の説明）
ここで、電池支持具５０の電池固定部５１、５２の作用、効果について説明する。
電池４、５を確実にケース本体２およびカバー３に収納するためには、電池４、５のサイズやカバー３、ケース本体２の形状にバラツキがあるため電池とカバー、電池とケース間は隙間を設ける必要がある。
電池固定部５１、５２は、このような電池４、５とカバー３との間の隙間および電池４、５とケース本体２との間の隙間を無くしバラツキを吸収して、電池を固定しつつ緩衝機能を有する。
すなわち、本発明の電池収納装置１００は、電池固定部５１、５２が、電池の底面から長手方向に電池を押さえつける（支持する）ことにより、振動、衝撃に対して強くなり電池の性能劣化を防止できる。
【００４９】
次に電池支持具５０の側壁支持部５３の必要性および作用、効果について説明する。
上述の電池固定部５１、５２は、電池４、５を支持して緩衝機能を果たしているが、シリコーンゴムやその他のゴム素材により成形されているので剛性がない。このため、電池４、５をケース本体２に挿入する時に、電池固定部５１、５２の連結部分から電池４、５間に伸延して形成されるゴム平板部ＧＢだけではゴム平板部ＧＢが変形してしまうことがあった。
具体的には、ケース本体２に挿入時に、電池４、５と一緒にゴム平板部ＧＢが押し込まれてしまい電池固定部５１、５２（ゴム）を本来の位置に配置できなかったり、電池４、５間に形成されるゴム平板部ＧＢが奥まで詰め込まれて電池４、５自体が挿入できなかったりといった不具合を生じることがあった。
【００５０】
このような問題に対して、本発明の電池収納装置１００は、シリコーンゴム成形品である電池固定部５１、５２の連結部分から電池４、５間に伸延して形成されるゴム平板部ＧＢの両面の全部または一部に、剛性のある板状のＰＣシート部品である側壁支持部材５３ａ、５３ｂを取り付けて構成される側壁支持部５３を有することにより、電池４、５の挿入時のゴム変形を防止して電池を容易に挿入できる点で有効である。
【００５１】
なお側壁支持部材５３は、電池４、５のケース挿入時に電池固定部５１、５２およぼゴム平板部ＧＢを本来の位置（ケース２の底部であって、組み立て時にスプリングと電気的に接続された電池の底部を支持できる位置）に配置できるものであれば、剛性度の高さは限定するものではなく、ゴム平板部ＧＢに合わせて変形できるものであっても良い。
【００５２】
このように、本発明の電池収納装置１００は、剛性を有する側壁支持部５３を備えることにより、電池固定部５１、５２（ゴム）およびゴム平板部ＧＢを本来の位置に配置した状態（ゴム平板部ＧＢの変形が発生しない状態）で電池４、５を電池の長手方向に支持でき、さらにゴム平板部ＧＢが電池の外周面の一部を電池の短手方向に支持する（電池の径の方向、電池側壁方向に押さえつける）ことにより、振動・衝撃に対して強くなり性能劣化を防止することができる。
【００５３】
（電池収納装置の組み立ての説明）
図２を用いて図１の電池収納装置の組立方法の一例を説明する。
図２のように、電池固定部５１、５２の一端に側壁支持部５３を取り付けて構成された電池支持具５０は、プラス極コイルスプリング２１ａ、マイナス極コイルスプリング２２ａが取り付けられたケース本体２へ組付固定される。
【００５４】
電池４、５は、電池の長手方向からケース本体２に挿入され、電池支持具５０に取り付けられる。このとき、電池支持具５０の各電池固定部５１、５２の固定部材５１ａ〜５１ｃ、５２ａ〜５２ｃは、電池４、５の底部を挟持し、電池支持具５０の側壁支持部５３の側壁支持部材５３ａ、５３ｂが電池４、５の側壁をそれぞれ支持する。
【００５５】
カバー３は電池４、５を覆うように配置され、ケース本体２とネジにより固定される。
このとき、電池４のプラス極は、プラス極コイルスプリング２１ａと電池固定部５１の孔５１ｈを介して接続される。また電池５のマイナス極は、マイナス極コイルスプリング２２ａと電池固定部５２の孔５２ｈを介して接続される。
【００５６】
電池４と電池５は、電池４のプラス極がプラス極コイルスプリング２１ａと接続され、電池５のマイナス極がマイナス極コイルスプリング２２ａと接続されることにより、各スプリング２１ａ、２２ａを経由して直列に接続される。
【００５７】
この電池４と電池５は、マイナス極コイルスプリング２１ｂとプラス極コイルスプリング２２ｂとを有する回路基板６を介してコネクタ部１２、１３より電力供給を行う。
【００５８】
（その他の実施例）
なお、本発明の電池収納装置は、上述までの実施例では電池４、５のプラス極、マイナス極に電気的に接続されるとともに電池を固定する部材としてコイルスプリング２１ａ、２１ｂ、２２ａ、２２ｂを用いるものとして説明しているが、特にこれに限定するものではなく、コイルスプリング２１ａ、２１ｂ、２２ａ、２２ｂの代わりに板バネ３１ａ、３１ｂ、３２ａ、３２ｂ（図示せず）を用いるものでもよい。
【００５９】
たとえば、電池４と電池５とがプラス極板ばね３１ａとマイナス極板ばね３２ａとを経由して直列に接続され、マイナス極板ばね３１ｂとプラス極板ばね３２ｂとを有する回路基板６を介してコネクタ部１２、１３より電力供給を行う。
また、マイナス極板ばね３２ａ、３１ｂには、電池４、５のプラス極の凸部との誤接触を回避できるように、凸部より大きな直径を有する凸部回避穴が形成される。
この場合は、プラス極板ばね３１ａとマイナス極板ばね３２ａとは、一体的に構成されるものでもよい。
【００６０】
この結果、本発明の電池収納装置は、電池固定部５１、５２が電池の長手方向に電池を押さえつける（支持する）こと、さらに側壁支持部５３が電池外周面の一部を電池の短手方向に支持する（電池の径の方向、電池側壁方向に押さえつける）ことにより、振動、衝撃に対して強くなり、電池の性能劣化を防止できる。
【００６１】
また、本発明の電池収納装置は、電池固定部５１、５２の連結部分から電池４、５間に伸延して形成されるゴム平板部ＧＢの両面に、剛性のある側壁支持部材５３ａ、５３ｂを取り付けて構成される側壁支持部５３を有することにより、電池４、５の挿入時のゴム変形を防止して電池を容易に挿入できる。
【００６２】
また本発明の電池収納装置は、ケース本体２とカバー３とをネジ止めして固定し、またはネジを外して、電池４、５を電池の長手方向に着脱可能とすることにより、従来技術のように電池周面にＯリング（オーリング）をはめ込んだり、シーラントで電池を電池ケースに接着固定したりすることなく、容易に電池交換を行うことができる点で有効である。
【００６３】
また本発明の電池収納装置は、電池と端子間の瞬断時に電気容量を確保するコンデンサを有することが防爆規格上許されない場合は、電池両極側の端子をコイルスプリングまたは板ばねにすることによって、静止状態だけでなく振動状態でも振動加速度で発生する電池の動きにコイルスプリングまたは板ばねが追従し、常に接触を保つことができる点でも有効である。
したがって電池と端子間の瞬断及び接触不良を起こさず、振動状態での接触エラーを防止することができる電池収納装置が得られる。
【００６４】
また本発明の電池収納装置は、製品に使用する電池を誤挿入（逆挿）した場合、電池のプラス極は凸部箇所以外が電気絶縁されており、マイナス極の円筒コイルスプリングのばね頂部内径（またはマイナス極板ばねに形成される凸部回避穴）が、電池プラス極の凸部より大きいため、凸部に接触（通電）しない。
このため電池を誤挿入（逆挿）した状態で無線通信機器等に使用した場合でも、電池に過電流が発生することはなく、電池の異常発熱や液洩れが生じる故障が起きない電池収納装置が得られる点でも有効である。
【００６５】
＜第２の実施例＞
なお、本発明の電池収納装置は、第１の実施例では電池４、５の２個の電池を収納するものとして説明しているが、特にこれに限定するものではなく、電池を１個または複数個を並列に収容する電池収納装置であってもよい。
【００６６】
たとえば、電池を１個だけ収容する場合は、電池支持具５０が、電池固定部５１と、電池固定部５１の一端と連結する側壁支持部５３を備え、側壁支持部５３は電池の長手方向に伸延する板状に形成され、電池の側壁と接して電池を支持する（図示せず）。
【００６７】
また、電池を複数個（たとえば３個）並列に収容する場合は、電池支持具５０が、電池固定部を複数個（３個、電池固定部５１、５２、５４）と複数の側壁支持部５３、５５を備える。
これらの電池固定部５１、５２、５４は、一列に配列され、他の電池固定部の一端で連結される。また側壁支持部５３は、電池固定部５１、５２の連結部分で電池同士が接触し得る箇所の全部又は一部に電池の長手方向に伸延する板状に形成される。
また側壁支持部５５は、電池固定部５２、５４の連結部分で電池同士が接触し得る箇所の全部又は一部に電池の長手方向に伸延する板状に形成される。
【００６８】
この結果、本発明の電池収納装置は、複数の電池固定部を一列に配列し、複数の電池固定部の連結部分であって電池同士が接触しうる箇所の全部又は一部に複数の側壁支持部を配置すること、さらに側壁支持部が電池の外周面の一部を電池の短手方向に支持する（電池の径の方向、電池側壁方向に押さえつける）ことにより、振動、衝撃に対して強くなり電池の性能劣化を防止できるとともに電池の挿入時のゴム変形を防止して電池を容易に挿入でき、複数の電池を並列に配列して収容できる。
また本発明の電池収納装置は、ケース本体とカバーとをネジ止めして固定し、またはネジを外して、電池を電池の長手方向に着脱可能とすることにより、容易に電池交換を行うことができる点で有効である。
【００６９】
＜第３の実施例＞
また、本発明の電池収納装置は、上述の第１の実施例では電池４、５の２個の電池を並列に一列にして収納するものとして説明しているが、特にこれに限定するものではなく、複数の電池を複数の列に配列して収容する電池収納装置であってもよい。
【００７０】
たとえば複数個の電池（たとえば４個）を複数の列を形成して収容する場合は、電池支持具５０が、電池固定部を複数個（４個、電池固定部５１、５２、５４、５６）と、複数の側壁支持部５３、５５、５７、５８を備える（図示せず）。
【００７１】
これらの電池固定部５１、５２、５４、５６は、電池固定部５１、５２の列、電池固定部５４、５６の列の２列に配列される。これらの電池固定部５１、５２、５４、５６は少なくともいずれかの他の電池固定部の一端で連結される。
【００７２】
また側壁支持部５３は、電池固定部５１、５２の連結部分で電池同士が接触し得る箇所の全部又は一部に電池の長手方向に伸延する板状に形成される。
側壁支持部５５は、電池固定部５４、５６の連結部分で電池同士が接触し得る箇所の全部又は一部に電池の長手方向に伸延する板状に形成される。
側壁支持部５７は、電池固定部５１、５４の連結部分で電池同士が接触し得る箇所の全部又は一部に電池の長手方向に伸延する板状に形成される。
側壁支持部５８は、電池固定部５２、５６の連結部分で電池同士が接触し得る箇所の全部又は一部に電池の長手方向に伸延する板状に形成される。
【００７３】
この結果、本発明の電池収納装置は、複数の電池固定部を複数の列に配列し、複数の側壁支持部を電池同士が接触しうる箇所の全部又は一部に設置される電池支持具を有することにより、振動、衝撃に対して強くなり電池の性能劣化を防止できるとともに電池の挿入時のゴム変形を防止して電池を容易に挿入でき、複数の電池を複数の列に配列して収容できる。
また本発明の電池収納装置は、ケース本体とカバーとをネジ止めして固定し、またはネジを外して、電池を電池の長手方向に着脱可能とすることにより、容易に電池交換を行うことができる点で有効である。
【００７４】
＜第４の実施例＞
なお、本発明の電池収納装置は、カバー３に電池固定部をさらに配置するものでもよく、電池の上面を挟持して電池を固定するものでもよい。これにより、振動、衝撃に対して強くなり電池の性能劣化を防止できる点で有効である。
【符号の説明】
【００７５】
１００  電池収納装置
２  ケース本体
３  カバー
４、５  電池
６  回路基板
２１ａ、２２ｂ  プラス極コイルスプリング
２１ｂ、２２ａ  マイナス極コイルスプリング
５０  電池支持具
５１、５２  電池固定部
５１ａ〜５１ｃ、５２ａ〜５２ｃ  固定部材
５１ｈ、５２ｈ  孔
５３  側壁支持部
５３ａ、５３ｂ  側壁支持部材
【図１】
2011249114.tif 000003
【図２】
2011249114.tif 000004
【図３】
2011249114.tif 000005